(57)【要約】（課題）　シート状の異物でも十分取れ、しかもメンテナンスが容易なスクリーンを提供する。（解決手段）本発明のスクリーンは縦目スクリーン部（１）と横目スクリーン部（２）とを着脱手段（３）を介して重ねあわせて一体にしている。【選択図】　図６
2004136258.tif 000002
【特許請求の範囲】
【請求項１】
流水から異物を除去するスクリーンであって、縦方向に複数の縦材を配設してなる縦目スクリーン部と、横方向に複数の横材を配設してなる横目スクリーン部とを脱着手段を介して重ね合せたスクリーン。
【発明の詳細な説明】
【０００１】
（発明の属する技術分野）
本発明は、流水から異物を除去するためのスクリーンに関するものである。
【０００２】
（従来の技術及び発明が解決しようとする課題）
異物を含む流体、例えば浄化槽に流入する汚水からビニール袋などの異物を除去する手段として板材を縦方向に平行にかつ等間隔に配設してなるスクリーンが一般に使用されている。ところがこのスクリーンは板材が平行に配設されているのでシート状のものは目幅よりかなり大きいものでもスクリーンを通過し、後続設置される機器に障害を与える問題があった。一方これを避けるために網状のスクリーンを使用した例もあるが、網状のものは異物が十分除去できる反面、部材が十字（縦横）にあるため熊手などで掻き揚げられずメンテナンスが困難で実用性がない問題があった。
【０００３】
そこで本発明はスクリーンの部材を縦横に配設してシート状の異物でも十分に除去できるようにしながらメンテナンスも容易なスクリーンを提供することを目的とするものである。
【０００４】
（課題を解決するための手段）
上記目的を達成するために、本発明は流水から異物を除去するスクリーンであって、縦方向に複数の縦材を配設してなる縦目スクリーン部と、横方向に複数の横材を配設してなる横目スクリーン部とを脱着手段を介して重ね合せて設けるのである。
【０００５】
上記スクリーンでは、縦目スクリーン部と横目スクリーン部とを脱着手段を介して重ね合わせているから、縦部材と横部材が十字になりシート状の異物でも簡単に通り抜けず、十分除去できるのである。しかも、前記各スクリーン部を着脱手段を介して重ね合わせているから、メンテナンス時に縦目スクリーン部と横目スクリーン部とを分離することができ、このことによって各スクリーン部がそれぞれ一方向の目になり、おのおの熊手なので容易に引っ掛かった異物を除去できるのである。従ってメンテナンス性にも優れているのである。
【０００６】
（発明の実施形態）
第５，６図に示すスクリーン（Ａ）は本発明にかかる実施例で，第１，２，３，４図は各部分詳細図である。図中（１）は縦目スクリーン部で、（１１）は異物を掻き揚げる熊手の曲がり部分より長い幅（奥行き）を持つ板状の縦材で、縦方向に複数枚平行に配設している。（１２）は縦目スクリーン部（１）の枠である。（２）は横目スクリーン部で、（２１）は縦材（１１）と同様の幅広の板材からなる横材で横方向に複数枚等間隔に配設している。（２２）は横目スクリーン（２）の枠で前記横材（２１）を取り付ける取付け手段であるまた、前記横目スクリーン部（２）の幅（Ｗ１）を縦目スクリーン部（１）の幅（Ｗ２）よりわずかに広く作っており、前記枠（２２）には両側に上流方向に延びる板状の脱着手段（３）を一体に形成している。
そして、横目スクリーン部（２）を流水方向下流側に配置しその上流側の取付け手段（３）間に縦目スクリーン部（１）挿入して重ね合わせるのである。
尚、（４）はスクリーン（Ａ）の底部を受ける受け材で、（５）はスクリーン（Ａ）の上部を受ける上部受け材である。（６）は散気装置でスクリーン（Ａ）をばっ気するためのものである。
かくして、前記スクリーンを水路（Ｘ）に縦目スクリーン部（１）が上流側に、横目スクリーン部（２）が下流側になるように設置するのである。
【００９】
こうすると、水路（Ｘ）にシート状のものが流れてきて縦長な状態になって縦目スクリーン部（１）を通過しても、すぐ後ろに横目スクリーン部（２）があるので、縦長な状態になったシート状のものはすぐに横目スクリーン部（２）に引っ掛かかり、容易に流下することがないのである。
しかもメンテナンス時には縦目スクリーン部（１）を着脱手段（３）から取り外すことによって、縦一方向のみの部材から成る縦目スクリーン部（１）と横一方向のみ部材から成る横目スクリーン部（２）とに分離できるので、各スクリーン部（１）（２）をそれぞれ熊手などで容易に清掃できるのである。
尚、本実施例では縦材（１１）に奥行きのある幅広の板材を使用したから、縦目スクリーン部（１）は簡易な清掃では着脱手段（３）から取り外さなくても熊手なのでそのまま引っ掛かった異物を掻き揚げることができるのである。
また横材（２１）の配設間隔を縦目スクリーン部（１）の縦材（１１）の取付け間隔より広く適切に設定しているので、すなわち後続設置するポンプなどに悪影響を与えない程度の小さな異物は通過させることができるようにスクリーン（Ａ）に引っ掛かる異物の大きさを検討調整してので、不必要に小さい異物まで捕捉してスクリーン（Ａ）が短期間で目詰まりするのを防止できるのである。
【０１０】
（他の実施の形態）
着脱手段は縦目スクリーン部（１）と横目スクリーン部（２）とが使用中にずれを生じず、かつ、容易に縦目スクリーン部（１）と横目スクリーン部（２）とが分離できればよく、例えば傾斜して設置するスクリーンの上部側に位置するスクリーンの自重を利用してもよい。また、水路（Ｘ）側にスクリーン（Ａ）を係止する手段、例えばガイド部材や係止用の突起などを設けるようにしてもよい。また、脱着手段は縦目スクリーン（１）と横目スクリーン部（２）との下端部をヒンジを介しての回転自由とする構造としてもよい。
前記横材取付け手段（２２）と横材（２１）を別体に成形し、前記横材取付け手段に横材（２１）の数より多数の取付け部を設けて、前記横材（２１）の取付け間隔を調節できるようにしてもよい。
横材（２１）には線形の細いもの、たとえば丸棒などを使用してばっ気エアーが縦材（１１）に直接当るようにしてもよい。
また、スクリーン（Ａ）はＦＲＰなど軽量の材質を使用し取り外しを容易にしてもよい。
【０１１】
（発明の効果）
以上のように本発明によれば、縦目スクリーン部と横目スクリーン部とを別々に設けて脱着手段を介して重ね合わせているから、縦部材と横部材が十字になりシート状の異物でも簡単に通り抜ず、十分除去できるのである。しかも、前記各スクリーン部を別体にして着脱手段を介して重ね合わせているから、メンテナンス時に縦目スクリーン部と横目スクリーン部とを分離することができ、このことによって各スクリーン部がそれぞれ一方向の目になり、熊手なので容易に引っ掛かった異物を除去できるのである。従ってメンテナンス性いにも優れているのである。
【図面の簡単な説明】
【第１図】本発明にかかるスクリーンの一実施例で縦目スクリーン部の平面図を示す。
【第２図】本発明にかかるスクリーンの向上実施例で縦目スクリーン部のα−α側面図を示す。
【第３図】本発明にかかるスクリーンの同上実施例で横目スクリーン部の平面図を示す。
【第４図】本発明にかかるスクリーンの向上実施例で横目スクリーン部のβ−β側面図を示す。
【図５図】本発明にかかるスクリーンの同上実施例でスクリーンの設置正面図を示す。
【第６図】本発明にかかるスクリーンの同上実施例でスクリーンの側面断面図を示す。
【符号の説明】
Ａ　　：　　スクリーン
１　　：　　縦目スクリーン部
１１　：　　縦材
１２　：　　枠
２　　：　　横目スクリーン部
２１　：　　横材
２２　：　　取り付け枠
３　　：　　脱着手段
４　　：　　下部受け材
５　　：　　上部受け材
６　　：　　散気装置
Ｘ　　：　　水路
【図１】
2004136258.tif 000003
【図２】
2004136258.tif 000004
【図３】
2004136258.tif 000005
【図４】
2004136258.tif 000006
【図５】
2004136258.tif 000007
【図６】
2004136258.tif 000008